【事件の表示】
　特願２０００−１２６１８４「遊技機」拒絶査定不服審判事件〔平成１２年１１月２１日出願公開、特開２０００−３１７１０５〕について、次のとおり審決する。
【結　論】
　本件審判の請求は、成り立たない。
【理　由】
１．手続の経緯・本願発明
　本件出願は、平成５年５月６日に出願した特願平５−１０５４８０号の一部を平成１２年４月２６日に新たな特許出願としたものであって、平成１５年６月９日付で拒絶査定がなされ、これに対し、同年７月１１日に拒絶査定に対する審判請求がなされ、当審において、平成１９年２月２１日付で拒絶理由通知がなされ、同年４月２３日に手続補正がなされたものであり、その請求項１に係る発明（以下、「本願発明」という。）は、明細書および当審で提出された補正書および出願当初の明細書および図面の記載から見て、その特許請求の範囲の請求項１に記載された次の事項により特定されるとおりのものと認める。
　
　「図柄を表示する表示装置と、前記表示装置の上方に設けられた入賞口と、前記入賞口に入賞した遊技球を遊技盤の裏面側において誘導する球誘導路と、を備えた遊技機であって、
　前記表示装置は、遊技盤の裏面から後方へ突出した状態で配置されており、
　前記球誘導路は、後方へ突出した前記表示装置の上方において後下り状に傾斜した前側誘導部と前記表示装置の後側に位置している後側誘導部とを備え、
　前記入賞口に入賞した遊技球は、この前側誘導部を通じ前記表示装置の上方を迂回して前記表示装置の後側に位置している後側誘導部に誘導される構成であることを特徴とする遊技機。」
　　
２．引用例
　これに対して、当審の拒絶の理由に引用され本件出願前に日本国内において頒布された刊行物である実願昭６３−７９３５０号（実開平２−１１８４号　）のマイクロフィルム（以下「引用例１」という。）には、図面とともに、
　「遊技盤の裏面側へ転動したパチンコ球を誘導通過させるために遊技盤の裏面に装着された誘導樋であって、・・・中継基板を脱離可能に取付けるための取付部材を設けた・・・パチンコ機におけるパチンコ球の誘導樋。」（実用新案登録請求の範囲）、
　「パチンコ機のゲーム内容や入賞態様が多様化するにしたがってゲーム用の電気部品や電気回路を接続するリード線の本数が増加してその接続状態や配線状態が複雑化し、とくに入賞装置に関連する電気配線が複雑になっている。」（第１頁第１８行〜第２頁第２行）、
　「遊技盤１の中央部に組付けられた入賞装置Ｎにおいて、回転体（役物）が組込まれた・・・役物ケース５は、遊技盤１に対し・・・窓部１ａ内に貫挿された状態で取着されて遊技盤１の裏面１ｂの後方へ突出されている。役物ケース５には前記回転体を回転駆動するためのモータ５０・・・ＬＥＤ・・・等の電気部品が取付けられるとともに、役物ケース５の後端部に垂設された取付板５ａの背面には・・・集合電気回路基板６が・・・並着されている。」（第３頁第１６行〜第４頁第６行）、
　「入賞装置Ｎの前上端部に開口された上入賞口５５・・・を通じて遊技盤１の前面から裏面１ｂへ転動した遊技球を誘導通過させるために設けた誘導樋１１は遊技盤１の裏面１ｂに役物ケース５を包囲した状態で取着されている。この誘導樋１１は・・・、上下の横樋部１２，１２と、左右の縦樋部１３，１３とがほぼ方形枠状に連接されている。」（第４頁第１５行〜第５頁第４行）、
　「入賞装置Ｎの上入賞口５５内へ落入したパチンコ球は上側の横樋部１２内の中央部へ送出されて同中央部から片側の縦樋部１３内へ転動し、同縦樋部１３内から下方へ転落する。」（第５頁第１９行〜第６頁第２行）、
との記載が認められ、
　また、上記摘記事項および第１図より、パチンコ機のゲーム内容や入賞態様が多様化していること、役物ケース５には回転体（役物）が組込まれ、該回転体を回転駆動するためのモータ５０が取付けられていること等、および、一般的にパチンコ機分野では、ドラム回転式変換表示装置を設けて、回転可能な回転表示部材の周面に記される識別情報を停止表示することが周知（一例として、実願昭６０−１９６６４１号（実開昭６２−１０８９８７号）のマイクロフィルム）であるから、役物ケース５は、「図柄を表示する」ことができるものと認められ、
　また、上記摘記事項および第１・２・５図より、誘導樋１１は役物ケース５を包囲した状態で取着されており、上下の横樋部１２，１２と、左右の縦樋部１３，１３とがほぼ方形状に連接されていること、入賞装置Ｎの上入賞口５５内へ落入したパチンコ球は上側の横樋部１２内の中央部へ送出されて同中央部から片側の縦樋部１３へ転動し、同縦樋部１３内から下方へ転落すること等から、誘導樋１１は、「役物ケース５の上側において中央部から横方向片側へ転動できるように中央部から横方向片側下り状に傾斜した横樋部１２と前記役物ケース５を左右に包囲した状態で配置され、役物ケース５の左右側に位置している縦樋部１３とを備え、上入賞口５５に落入したパチンコ球は、この横樋部１２を通じ前記役物ケース５の上側を迂回して前記役物ケース５の左右側に位置している縦樋部１３に誘導通過される」ものと認められる。
　これらの記載によれば、引用例１には、
　
　「図柄を表示する役物ケース５と、前記役物ケース５の上方に設けられた上入賞口５５と、前記上入賞口５５に落入したパチンコ球を遊技盤１の裏面１ｂ側に誘導通過させる誘導樋１１と、を備えたパチンコ機であって、
　前記役物ケース５は、遊技盤１の裏面１ｂの後方へ突出されており、
　前記誘導樋１１は、後方へ突出した前記役物ケース５の上側において中央部から横方向片側下り状に傾斜した横樋部１２と前記役物ケース５の左右側に位置している縦樋部１３とを備え、
　前記上入賞口５５に落入したパチンコ球は、この横樋部１２を通じ前記役物ケース５の上側を迂回して前記役物ケース５の左右側に位置している縦樋部１３に誘導通過される構成であるパチンコ機。」
　
との発明（以下「引用例１発明」という。）が開示されていると認めることができる。　
　
３．対比
　そこで、本願発明と引用例１発明とを対比すると、引用例１発明の「役物ケース５」、「上入賞口５５」、「落入した」、「パチンコ球」、「誘導通過させる」、「誘導樋１１」、「パチンコ機」、「遊技盤１の裏面１ｂの後方へ突出されており」および「上側」は、本願発明における「表示装置」、「入賞口」、「入賞した」、「遊技球」、「誘導する」、「球誘導路」、「遊技機」、「遊技盤の裏面から後方へ突出した状態で配置されており」および「上方」に相当すると認められる。
　また、引用例１発明の「中央部から横方向片側下り状に傾斜した横樋部１２」と、本願発明の「後下り状に傾斜した前側誘導部」は、「特定方向に傾斜した上流側誘導部」で共通し、
　また、引用例１発明の役物ケース５の「左右側に位置している縦樋部１３」と、本願発明の表示装置の「後側に位置している後側誘導部」は、「特定の場所に位置している下流側誘導部」で共通する。
　したがって、両者は、
　
　「図柄を表示する表示装置と、前記表示装置の上方に設けられた入賞口と、前記入賞口に入賞した遊技球を遊技盤の裏面側において誘導する球誘導路と、を備えた遊技機であって、
　前記表示装置は、遊技盤の裏面から後方へ突出した状態で配置されており、
　前記球誘導路は、後方へ突出した前記表示装置の上方において特定方向に傾斜した上流側誘導部と前記表示装置の特定の場所に位置している下流側誘導部とを備え、
　前記入賞口に入賞した遊技球は、この上流側誘導部を通じ前記表示装置の上方を迂回して前記表示装置の特定の場所に位置している下流側誘導部に誘導される構成である遊技機。」
　
である点で一致し、以下の点で相違している。
　
　相違点：球誘導路における上流側誘導部と下流側誘導部の配置にあたり、上流側誘導部を特定方向に傾斜させるのに、本願発明では、「前側誘導部が後下り状」であるのに対し、引用例１発明では、「横樋部１２が中央部から横方向片側下り状」であって、また、上流側誘導部に連なる下流側誘導部の位置する特定の場所が、本願発明では、後側誘導部が表示装置の「後側」であるのに対し、引用例１発明では、縦樋部１３が役物ケース５の「左右側」であり、本願発明のような構成となっていない点。
　
４．判断
　上記相違点について検討すると、パチンコ機分野において、一般的に、パチンコ球を底部の所望の場所まで落下させる誘導路を確保するために、誘導路を障害となる部材から離れて上流側誘導部と下流側誘導部を連通するように設置することは周知であり（例えば、特開昭６１−２８４２７４号公報、特開平３−１８３８８号公報参照。）、引用例１発明の横樋部と縦樋部を有する誘導樋の構成に代えて、上記周知の事項を適用して、本願発明の前側誘導部と後側誘導部を有する球誘導路とすることに、格別の創意工夫を要したとはいえず、当業者が必要に応じて容易に想到し得たものである。
　
　そして、本願発明が上記構成を採ることによりもたらされる効果は、引用例１発明および周知技術から当業者が予測できる範囲内のものであって格別のものとは認められない。
　
５．むすび
　以上のとおりであるから、本願発明は、引用例１発明および周知技術に基づいて、当業者が容易に発明できたものと認められるから、特許法第２９条第２項の規定により特許を受けることができない。
　よって、結論のとおり審決する。